(57)【要約】【課題】本発明は、グレーチングの表面側に着脱自在に取り付けた透水性軽量材料のみを取り外して清掃することができ、それらが劣化した場合は簡単に取り替えることができ、そのことにより目詰まりを除去しながら雨水のみを側溝内に流入させることができ、清掃後は簡単に元の位置に取り付けることができ、側溝内に土埃や砂塵等を堆積させることなく、長期間にわたって良好な水流を得ることを可能とした側溝におけるグレーチング構造に関するものである。【解決手段】断面略Ｕ字形側溝の左右側壁の上端部となる開口部表面側に設置するグレーチング、該グレーチング上面に着脱自在に載置固定可能なポーラスな軽量材料よりなる透水性表面材とよりなり、該グレーチングの左右のエンドアングル上面と該透水性表面材の上面とを同一面又は略同一面となるようにしたことを特徴とする側溝におけるグレーチング構造。【選択図】図１
2017198020.tif 000002
【特許請求の範囲】
【請求項１】
断面略Ｕ字形側溝の左右側壁の上端部となる開口部表面側に設置するグレーチング、該グレーチング上面に着脱自在に載置固定可能なポーラスな軽量材料よりなる透水性表面材とよりなり、該グレーチングの左右のエンドアングル上面と該透水性表面材の上面とを同一面又は略同一面となるようにしたことを特徴とする側溝におけるグレーチング構造。
【請求項２】
左右のエンドアングルのウェブの高さは、下方側にグレーチングを固定し、上方側に透水性表面材を着脱自在に固定できる寸法とし、左右のウェブ間を左右側壁の幅寸法とほぼ同一としてなることを特徴とする請求項１記載の側溝におけるグレーチング構造。
【請求項３】
グレーチング上面の透水性表面材の固定は、左右のエンドアングルのウェブ上方の内側に設けた突起とし、該突起を透水性表面材の着脱自在の固定手段としてなることを特徴とする請求項１又は２記載の側溝におけるグレーチング構造。
【請求項４】
突起を左右のエンドアングルのウェブ上方の内側に固定した長手方向に延びた鉄筋としたことを特徴とする請求項３記載の側溝におけるグレーチング構造。
【請求項５】
透水性表面材は、防水性繊維糸をからめて所定厚とし、防水性繊維糸間に空隙が生じるように固化してなる材料としたことを特徴とする請求項１乃至４のいずれか記載の側溝におけるグレーチング構造。
【請求項６】
透水性表面材は、その表面側をナイロン製の透水性フィルターにより囲繞し、更に、その外側をプラスチックネットで補強囲繞し、その各々を該透水性表面材と固定してなることを特徴とする請求項１乃至５のいずれか記載の側溝におけるグレーチング構造。
【請求項７】
透水性表面材は、透水性素焼きタイル、透水性木質材、軽石、軽量骨材を固めたもの、パーライト、硬質スポンジのいずれかとしたことを特徴とする請求項１乃至４のいずれか記載の側溝におけるグレーチング構造。
【請求項８】
透水性表面材の長手方向端縁部に切欠部を設け、該切欠部を着脱自在の固定手段としたことを特徴とする請求項１乃至７のいずれか記載の側溝におけるグレーチング構造。
【発明の詳細な説明】
【技術分野】
【０００１】
本発明は、砂、小石、葉や小枝、土埃や砂塵等が雨水とともに側溝内に入り込むことを防止するためのグレーチング構造で、グレーチングの表面側に土埃や砂塵等を留まらせることにより簡単にそれらを取り除くことができ、目詰まりを防止しながら雨水のみを側溝内に流入させることのできる側溝におけるグレーチング構造に関するものである。
【背景技術】
【０００２】
降雨や清掃水等によって路面や各種地盤面等で吸収できなかった雨水は、側溝に流れ込むが、同時に、砂、小石、葉や小枝、土埃や砂塵等も側溝内に流れ込むことになる。側溝の表面側に設ける従来のグレーチングは、枠部材を格子状に組むことで該枠部材間から側溝内に雨水の流入を可能としているが、その枠部材間より上記砂、小石、葉や小枝、土埃や砂塵等も流入し、それらが該側溝の内側に蓄積され、水流を悪くする原因となっている。
【０００３】
また、枠部材間にハイヒールの踵が入り込んだり、つまづいたり、倒れたときに指を挟んだり膝に怪我をしたりするおそれもあった。
【０００４】
また、特許文献１のように、グレーチングの表面に透水性のあるアスファルトを流し込んだ技術があるが、当該特許文献１は、雨水の流入孔となるグレーチングの枠部材間にアスファルト部材が入り込み、且つ、グレーチングの表面側全面も枠部材間に入り込んだアスファルトと一体となって被覆されるため、該アスファルトに土埃や砂塵等により目詰まりを生じた場合、透水性のアスファルト部材のみを設置箇所から取り除いて清掃することはできなかった。
【０００５】
上記により、特許文献１のものにあっては透水性のアスファルトに生じた目詰まりを取り除く場合、グレーチングの重量にアスファルトの重さが加わったグレーチングを側溝より取り外して清掃を行うことは困難な作業であり、アスファルトに入り込んだ土埃や砂塵等を清掃するには当該場所で高圧洗浄とバキューム装置を備えた専用装置や専用車両を使用して清掃作業を行う必要があり、メンテナンス作業に多くの経費を必要とするものであった。
【先行技術文献】
【特許文献】
【０００６】
【特許文献１】特開２００７−５１４６１号公報
【発明の概要】
【発明が解決しようとする課題】
【０００７】
本発明は、上記欠点を解決したもので、グレーチングの表面側に着脱自在に取り付けた透水性軽量材料のみを取り外して清掃することができ、それらが劣化した場合は簡単に取り替えることができ、そのことにより目詰まりを除去しながら雨水のみを側溝内に流入させることができ、清掃後は簡単に元の位置に取り付けることができ、側溝内に土埃や砂塵等を堆積させることなく、長期間にわたって良好な水流を得ることを可能とした側溝におけるグレーチング構造に関するものである。
【課題を解決するための手段】
【０００８】
本発明は、断面略Ｕ字形側溝の左右側壁の上端部となる開口部表面側に設置するグレーチング、該グレーチング上面に着脱自在に載置固定可能なポーラスな軽量材料よりなる透水性表面材とよりなり、該グレーチングの左右のエンドアングル上面と該透水性表面材の上面とを同一面又は略同一面となるようにした側溝におけるグレーチング構造を特徴とする。
【０００９】
また、上記左右のエンドアングルのウェブの高さは、下方側にグレーチングを固定し、上方側に透水性表面材を着脱自在に固定できる寸法とし、左右のウェブ間を左右側壁の幅寸法とほぼ同一としてなる側溝におけるグレーチング構造を特徴とする。
【００１０】
更に、上記グレーチング上面の透水性表面材の固定は、左右のエンドアングルのウェブ上方の内側に設けた突起とし、該突起を透水性表面材の着脱自在の固定手段としてなる側溝におけるグレーチング構造を特徴とする。
【００１１】
また、上記突起を左右のエンドアングルのウェブ上方の内側に固定した長手方向に延びた鉄筋とした側溝におけるグレーチング構造を特徴とする。
【００１２】
更に、上記透水性表面材は、防水性繊維糸をからめて所定厚とし、防水性繊維糸間に空隙が生じるように固化してなる材料とした側溝におけるグレーチング構造を特徴とする。
【００１３】
また、上記透水性表面材は、その表面側をナイロン製の透水性フィルターにより囲繞し、更に、その外側をプラスチックネットで補強囲繞し、その各々を該透水性表面材と固定してなる側溝におけるグレーチング構造を特徴とする。
【００１４】
更に、上記透水性表面材は、透水性素焼きタイル、透水性木質材、軽石、軽量骨材を固めたもの、パーライト、硬質スポンジのいずれかとした側溝におけるグレーチング構造を特徴とする。
【００１５】
また、透水性表面材の長手方向端縁部に切欠部を設け、該切欠部を着脱自在の固定手段とした側溝におけるグレーチング構造を特徴とする。
【発明の効果】
【００１６】
グレーチングの上面に透水性表面材を着脱自在に嵌め込むことを可能とすることにより、側溝内に雨水のみを浸透流入させることができ、葉や小枝、土埃や砂塵等（以下、土埃や砂塵等という）は該透水性表面材で捕捉することができ、それらが側溝内に入り込むことを防止することができる。これにより側溝内が詰まることはなく、良好な水流を維持することができ、また、重量の有るグレーチングを取り外して土埃や砂塵等を原因とする側溝内の清掃を少なくすることが可能となった。
【００１７】
また、捕捉した土埃や砂塵等により透水性表面材に目詰まりを生じたときは、軽量な該透水性表面材のみをグレーチング上面より取り外し、水洗い等の簡単な清掃により土埃や砂塵等を除去することができ、再び簡単に元の位置に固定することが可能となった。
【００１８】
更に、透水性表面材は、左右のエンドアングルに形成した突起により強く係止されるので該突起に嵌入後は簡単に外れることはなく、風雨や衝撃等によって位置ずれを生じることはなく、また、その表面側において歩行を妨害したり靴や身体に損傷を与えることはない。
【図面の簡単な説明】
【００１９】
【図１】グレーチング及び透水性表面材を側溝へ取り付けた状態を示す断面図。
【図２】透水性表面材をエンドアングルに取り付けた状態を示す斜視図。
【図３】（ａ）、（ｂ）透水性表面材を取り付けるための突起を示す斜視図。
【図４】（ａ）グレーチング及び透水性表面材を側溝に取り付けた状態を示す他の実施例の断面図、（ｂ）透水性表面材の他の実施例の断面図。
【図５】透水性表面材の形状の一実施例を示す斜視図。
【発明を実施するための形態】
【００２０】
以下、本発明の実施の形態を図面に基づいて説明する。
【実施例１】
【００２１】
側溝Ａにおいて左右側壁Ｂ、Ｃによって形成される上方開口部より雨水を流入させるために該開口部を閉塞すると同時に雨水の通過を可能とするグレーチングを使用しているが、本実施例１のグレーチング構造１は、図１の断面図に示すように、該側溝Ａの左右側壁Ｂ、Ｃの上端部となる開口部の奥側にグレーチング２を位置させ、該グレーチング２上面に透水性表面材３を位置させている。該グレーチング２を固定し、その上に該透水性表面材３を着脱自在に載置固定するために、それらの端部を支持し、該側溝Ａの左右側壁Ｂ、Ｃの上端部に係止することのできるエンドアングル４、５をグレーチングの左右に設けている。
【００２２】
従来のグレーチングは、細い板状部材よりなる枠部材の小口側を上下にして所定小間隔毎に配置して格子状に組んだもので、側溝Ａの開口部の表面側に位置させることで枠部材間より雨水を側溝Ａ内に流入できるようにしている。枝等の比較的大きなものは流入することを阻止できるが、土埃や砂塵等の小さなものは雨水とともに側溝Ａ内に入り込んでくる形状となっている。このため該グレーチングのみでは該側溝Ａ内にそれらが堆積し、雨水の流れを妨害する原因となっている。
【００２３】
水流を良好とするために該グレーチングを該側溝Ａの開口部より取り外し、底側を掻くようにして堆積した土埃や砂塵等を除去する必要がある。その作業は、腰を折り曲げての清掃作業となるため重労働であり、また、該グレーチングは人や車両等の加重が加わることや設置場所からの移動や盗難を防止するために金属製の重量物で製造されており、該グレーチングを該側溝Ａより取り外し、また元の位置に据え付ける作業は重労働となっていた。
【００２４】
本発明は、グレーチング２を側溝Ａより取り外すことなく、表面側の軽量な透水性表面材３のみを取り外して清掃することで土埃や砂塵等を取り除くことを可能としたものである。
【００２５】
本実施例１では、図１に示すように、左右のエンドアングル４、５は、グレーチング２及び透水性表面材３を固定し、同時に、側溝Ａの左右側壁Ｂ、Ｃの上端部に係止できるように形成している。該左右のエンドアングル４、５は、長手方向に延出したウェブ６とフランジ７とよりなるアングル材で、該アングル材のウェブ６の寸法を長くし、逆Ｌ字形となるようにして使用することで側溝Ａの表面の奥側にグレーチング２を固定できるように形成している。該グレーチング２の上面側には透水性表面材３を着脱自在に固定できるようにしている。フランジ７は左右側壁Ｂ、Ｃの上端部に載置固定できるように形成している。該グレーチング２は、ウェブ６の下方側に固定されることになるので、該グレーチング２の表面に左右のウェブ６によって該透水性表面材３を嵌入するための空間が形成されることになる。従って、グレーチング構造１は、左右のエンドアングル４、５のウェブ６間で、その表面側が側溝の開口部の奥側に位置するようにグレーチング２を位置させ、その上面に透水性表面材３が、その上面を側溝Ａの左右側壁Ｂ、Ｃの上端部に係止するフランジ７の上面と同一面又は略同一面となるように着脱自在に固定される構造となる。
【００２６】
左右のエンドアングル４、５は、その下方部において強度の有る該グレーチング２と強固に固定されるので、ウェブ６の寸法が長くなり、ウェブ６の上方側に空間が形成されても強度上問題が生じることはない。
【００２７】
図２に示すように、グレーチング２の表面側の空間部に透水性表面材３を着脱自在に載置固定することになる。該左右のエンドアングル４、５間の空間となっている該ウェブ６の内側に凸部１０を設け、該凸部１０を該透水性表面材３の側縁部へ喰い込み或いは嵌合させることで該透水性表面材３を該グレーチング２の表面位置に着脱自在に固定することができる。
【００２８】
ウェブ６における凸部１０の位置は上端部でもよいが、それより下方側でもよく、ウェブ６の上端部位置となる表面側に露出させてもよいし、それよりやや下方位置に隠蔽させるように配置してもよい。空間部となる左右のウェブ６に形成し、該透水性表面材３が外れることのない位置とする。また、該凸部１０は、間欠状態で設けてもよいし、連続的に設けてもよい。
【００２９】
該凸部１０の具体的な例として、透水性表面材３に喰い込むような形状とした略三角錘形状突起を選択することができる。図３（ａ）は側部側を曲面とした略三角錐形状突起１１、図３（ｂ）はウェブ６の長手方向に沿って鉄筋を取着した棒状突起１２を示している。鉄筋の場合、φ６の丸鋼等を溶接結合して使用することができる。該凸部１０の形状は該透水性表面材３を固定することができ、且つ、取り外すことが可能であれば適宜形状のものを選択することができる。
【００３０】
透水性表面材３は、雨水を透水させることのできるポーラスな材料からなり、ヘチマロン（登録商標）が良好な材料である。該ヘチマロンは新光ナイロン株式会社が開発した繊維状にしたプラスチックを固めて強度の有る立体網状成形品としたものである。
【００３１】
また、該ヘチマロンに限らず、素焼タイル、軽石、軽量骨材を固めたもの、パーライト、硬質スポンジ、間伐木材等の透水性があり、所定の圧縮強度のある材料であれば使用することが可能である。
【００３２】
周辺路面Ｄから流れてきた雨水は透水性表面材３を透過して側溝Ａに流入するが、土埃や砂塵等は該透水性表面材に留まることになる。
【実施例２】
【００３３】
図４に示す実施例２は、透水性表面材の他の実施例を示すものである。図４（ａ）に示すように、グレーチング構造１３は、グレーチング１４の上面に透水性表面材１５を載置固定することは実施例１と同様である。該透水性表面材１５としては、上記したヘチマロンのマット状の材料とし、厚み２５ｍｍ、４０ｍｍ等のものが選択される。該ヘチマロンは、透水性及び所定の強度を有するが、土埃や砂塵等が付着することにより汚れが生じることになるので、図４（ｂ）に示すように、全体をナイロン製の透水性フィルター１６により囲繞し、更に、その外側をプラスチックネット１７で囲繞して外側の強度を得ている。上記透水性フィルター１６及びプラスチックネット１７は、例えば、ボクサーホッチキス等の金具によって透水性表面材１５と固定する。従って、土埃や砂塵等は、透水性表面材１５をグレーチング１４の上面から取り外し、該透水性フィルターを洗浄することにより除去することができる。
【００３４】
該透水性表面材１５を緑色のヘチマロンとし、該透水性フィルター１６及びプラスチックネット１７を黒色のものを選択することにより自然とマッチさせて表面側を目立たなくすることができ、また、付着した土埃や砂塵等の確認を容易とすることができる。
【実施例３】
【００３５】
図５に示すものは、透水性表面材１８を素焼タイル、軽石、軽量骨材を固めたもの、パーライト、硬質スポンジ、間伐木材等のように外形形状が固まった材料とした場合、該透水性表面材１８の側縁部に予め小さめの凹部１９を形成しておき、左右のエンドアングルのウェブに形成した凸部に該凹部１９が強固に嵌合できるようにしたものである。それらの材料を使用することにより景観上優れた側溝におけるグレーチング構造を得ることができる。
【符号の説明】
【００３６】
１、１３        グレーチング構造
２、１４        グレーチング
３、１５、１８  透水性表面材
４、５          エンドアングル
６              ウェブ
７              フランジ
８              左側縁
９              右側縁
１０            凸部
１１            三角錐形状突起
１２            棒状突起
１６            透水性フィルター
１７            プラスチックネット
１９            凹部
【図１】
2017198020.tif 000003
【図２】
2017198020.tif 000004
【図３】
2017198020.tif 000005
【図４】
2017198020.tif 000006
【図５】
2017198020.tif 000007